(57)【特許請求の範囲】
【請求項１】
盃状トップカバーから陥没するカップ受け入れ凹溝の垂直中心線上に、飲料水貯溜タンクと連通する導水管が固定立設されたサーバー本体と、底面中央部に口金が固着された飲料水包装袋とを有するウォーターサーバーにおいて、
上記サーバー本体側のカップ受け入れ凹溝へカップを、その底面中央部から一定高さだけ連続的に垂立するボトムキャップ受け止め芯筒が上記導水管の中途高さ位置に套嵌される関係状態として、差し込み固定する一方、
上記飲料水包装袋の穿孔アダプターを上記口金へ着脱自在に取り付け使用されるほぼ円筒形の昇降ガイドと、その昇降ガイドへ昇降自在に内蔵されることにより、上記飲料水包装袋と導水管とが連通する飲料水流通路になる中空のニードルと、そのニードルに内蔵された飲料水流通路の開閉弁と、同じくニードルに螺合締結されたボトムキャップとから組立ユニット化すると共に、
そのニードルのボトムキャップから張り出す外向き係止フランジと、上記昇降ガイドの下端部から全体的な放射対称分布型に張り出す複数の内向き係止爪とを係脱自在に係止させて、
上記飲料水包装袋の口金に取り付けた穿孔アダプターの昇降ガイドをサーバー本体側のカップ内へ、そのニードルのボトムキャップが上記カップのボトムキャップ受け止め芯筒により一旦下方から受け止められて、上記開閉弁が開弁状態になるまで差し込み下降させた後、
同じく昇降ガイドをその内向き係止爪と上記外向き係止フランジとの係止解除により、引き続き上記カップの底面まで深く差し込み下降させて、これとの相対的に上昇するニードルが上記口金を通じて、飲料水包装袋の底面を自づと穿孔するように関係設定したことを特徴とするウォーターサーバーにおける飲料水包装袋の穿孔装置。
【請求項２】
穿孔アダプターのニードルを飲料水包装袋の口金に差し込み嵌合し得る鋭利な円錐面と、これよりも下方へ行く程太くなる二段の円筒状胴体とから形作って、その比較的径小な上側胴体の内部に開閉弁を設置する一方、
比較的径大な下側胴体の内部に上記開閉弁の弁座となる上側パッキングと、導水管の外周面に喰い付き密着し得る下側パッキングと、その両パッキングの上下相互間に介在するスペーサーとを設置して、その下側胴体の下端部へボトムキャップを着脱自在に螺合締結すると共に、
上記ニードルの円錐面と飲料水包装袋の口金との嵌合面を密封し得るシール膜を、その円錐面の首部に被着一体化させたことを特徴とする請求項１記載のウォーターサーバーにおける飲料水包装袋の穿孔装置。
【請求項３】
穿孔アダプターのニードルに対するボトムキャップの螺合締結操作により下側パッキングをスペーサーへ、延いてはそのスペーサーにより上側パッキングをニードルにおける上側胴体と下側胴体との境界段差面へ、何れも下方から押し付けると共に、
上記ボトムキャップの締結力によって導水管の外周面に喰い付き圧着する下側パッキングの密封力を、強弱調整セットできるように定めたことを特徴とする請求項２記載のウォーターサーバーにおける飲料水包装袋の穿孔装置。
【請求項４】
飲料水包装袋の口金をボビン形として、縦支点軸の廻りに開閉することによりその口金へ挟み付け得る別個な開閉トップフランジを、穿孔アダプターにおける昇降ガイドの上端部へ係脱自在な係止状態に組み立てると共に、
その昇降ガイドへ昇降自在に差し込み套嵌させた操作リングの押し上げ操作により、上記開閉トップフランジを飲料水包装袋の口金へ挟み付く閉合状態に施錠する一方、
同じく操作リングの引き下げ操作によって、上記開閉トップフランジを飲料水包装袋の口金から取りはずせる状態に開放するように関係設定したことを特徴とする請求項１記載のウォーターサーバーにおける飲料水包装袋の穿孔装置。
【請求項５】
操作リングの引き下げ操作により開閉トップフランジを開放すると一挙同時に、昇降ガイドの内部に存在するニードルを引き下げて、飲料水包装袋の口金から抜き出せるように定めたことを特徴とする請求項４記載のウォーターサーバーにおける飲料水包装袋の穿孔装置。
【請求項６】
穿孔アダプターにおける昇降ガイドの上端部を径大な円錐受け皿形のトップフランジとして一体成形し、その中央部にニードル挿通口とそのニードル挿通口の開口周辺部から下向きに突出する複数のキー凸子とを設ける一方、
飲料水包装袋のボビン形口金に上記キー凸子と合致し得るキー溝を対応形成して、
上記トップフランジのキー凸子を口金のキー溝から抜き差し自在に差し込んで、一定角度だけ回動操作することにより、上記飲料水包装袋の口金へ係止させることができるように定めたことを特徴とする請求項１記載のウォーターサーバーにおける飲料水包装袋の穿孔装置。
【発明の詳細な説明】
【技術分野】
【０００１】
本発明はウォーターサーバーへカートリッジ式に装填使用される飲料水包装袋の安全な穿孔装置に関する。
【背景技術】
【０００２】
軟質合成樹脂から成る飲料水包装袋（俗称：ビニール袋又はパック）を倒立姿勢として、ウォーターサーバーへカートリッジ式に装填使用する時、その包装袋の中央部を下方から穿孔するための装置は、下記特許文献１、２に開示されている。
【０００３】
殊更、特許文献２に記載されている「ウォーターサーバーに用いるニードル」では、ニードルに押し上げ力が加わらなければ、そのニードルの先端部がボトルホルダーの底面から上向きに突出せず、使用者がボトルホルダーに対してビニール袋を出し入れする際、ニードルの先端部によって負傷しないように工夫されている点で、本発明に最も近似する公知技術であると考えられる。
【先行技術文献】
【特許文献】
【０００４】
【特許文献１】特開２０１０─１４３６３０号公報
【特許文献２】実用新案登録第３１６４９４８号公報
【発明の概要】
【発明が解決しようとする課題】
【０００５】
ところが、特許文献２に記載の構成では、ニードル（１）がビニール袋（９）を穿孔した図９、１１の使用中、圧縮したコイルスプリング（２２）の復元力が常時ボトルホルダー（３）の押し上げ付勢力として作用しているため、ビニール袋（９）内の飲料水が徐々に減少して軽くなると、そのビニール袋（９）とこれを保持しているボトルホルダー（３）が、サーバー本体（２）側のパッキングホルダー（８）から浮上してしまい、たとえニードル（１）の下部本体（１７）が挿入棒（３５）の上端部から抜けないまでも、図８のようなコイルスプリング（２２）の伸張状態になるおそれがあり、そうするとビニール袋（９）内の飲料水がボトルホルダー（３）の天井面に開口しているニードル出没孔を通じて、そのボトルホルダー（３）の底部（上記コイルスプリングの収納室）（１５）内へ漏出し、ここへいたずらに多く溜まる結果となる。
【０００６】
そこで、ビニール袋（９）とそのボトルホルダー（３）の浮上を予防すべく、上記コイルスプリング（２２）の張力を弱めるとして、ニードル（１）の下部本体（１７）と挿入棒（３５）の上端部との嵌合面に介在するシール部材（４２）の密封力が、そのコイルスプリング（２２）の張力よりも強い場合には、挿入棒（３５）に対するニードル（１）の差し込み嵌合状態が完了するよりも早く、コイルスプリング（２２）が圧縮して、ビニール袋（９）を穿孔してしまうことになり、そのビニール袋（９）からやはり飲料水が上記ボトルホルダー（３）のニードル出没孔を通じて底部（コイルスプリング収納室）（１５）内やニードル（１）の上部本体（１６）内へ漏出し、これらに多く溜まるおそれがある。
【０００７】
つまり、飲料水を封入したビニール袋（９）やそのボトルホルダー（３）の全体的な重量と、上記ボトルホルダー（３）の底部（１５）内に収納されたコイルスプリング（２２）の張力と、上記ニードル（１）と挿入棒（３５）との嵌合面に介在するシール部材（４２）の密封力（差し込み操作の抵抗力）とを、最適の強弱関係度合いに調整・設計することは至難の業であり、上記コイルスプリング（２２）の張力が自然的な外力により変動する因子をなすこととも相俟って、ビニール袋（９）から決して漏水しない安定な作動を保障することができない。
【０００８】
又、上記ボトルホルダー（３）の底部（１５）に収納されたコイルスプリング（２２）やニードル（１）内の弁（２７）に巻き付けられるコイルスプリング（３０）の材質として、たとえステンレス鋼材を採用したとしても、発錆のおそれなしとせず、飲料水を対象とする用途での安全性に問題がある。
【０００９】
更に、上記ボトルホルダー（３）の天井面にニードル出没孔が開口しているため、図９〜１２の使用状態において、ビニール袋（９）内の飲料水が正しくニードル（１）の内部を通じて流下するほか、そのボトルホルダー（３）のニードル出没孔を通じて底部（上記コイルスプリング収納室）（１５）の内部にも漏出し、その底部（１５）内に多く溜まるのである。
【課題を解決するための手段】
【００１０】
本発明はこのような諸問題の抜本的な解決を目的としており、その目的を達成するために、請求項１では盃状トップカバーから陥没するカップ受け入れ凹溝の垂直中心線上に、飲料水貯溜タンクと連通する導水管が固定立設されたサーバー本体と、底面中央部に口金が固着された飲料水包装袋とを有するウォーターサーバーにおいて、
【００１１】
上記サーバー本体側のカップ受け入れ凹溝へカップを、その底面中央部から一定高さだけ連続的に垂立するボトムキャップ受け止め芯筒が上記導水管の中途高さ位置に套嵌される関係状態として、差し込み固定する一方、
【００１２】
上記飲料水包装袋の穿孔アダプターを上記口金へ着脱自在に取り付け使用されるほぼ円筒形の昇降ガイドと、その昇降ガイドへ昇降自在に内蔵されることにより、上記飲料水包装袋と導水管とが連通する飲料水流通路になる中空のニードルと、そのニードルに内蔵された飲料水流通路の開閉弁と、同じくニードルに螺合締結されたボトムキャップとから組立ユニット化すると共に、
【００１３】
そのニードルのボトムキャップから張り出す外向き係止フランジと、上記昇降ガイドの下端部から全体的な放射対称分布型に張り出す複数の内向き係止爪とを係脱自在に係止させて、
【００１４】
上記飲料水包装袋の口金に取り付けた穿孔アダプターの昇降ガイドをサーバー本体側のカップ内へ、そのニードルのボトムキャップが上記カップのボトムキャップ受け止め芯筒により一旦下方から受け止められて、上記開閉弁が開弁状態になるまで差し込み下降させた後、
【００１５】
同じく昇降ガイドをその内向き係止爪と上記外向き係止フランジとの係止解除により、引き続き上記カップの底面まで深く差し込み下降させて、これとの相対的に上昇するニードルが上記口金を通じて、飲料水包装袋の底面を自づと穿孔するように関係設定したことを特徴とする。
【００１６】
又、請求項２では穿孔アダプターのニードルを飲料水包装袋の口金に差し込み嵌合し得る鋭利な円錐面と、これよりも下方へ行く程太くなる二段の円筒状胴体とから形作って、その比較的径小な上側胴体の内部に開閉弁を設置する一方、
【００１７】
比較的径大な下側胴体の内部に上記開閉弁の弁座となる上側パッキングと、導水管の外周面に喰い付き密着し得る下側パッキングと、その両パッキングの上下相互間に介在するスペーサーとを設置して、その下側胴体の下端部へボトムキャップを着脱自在に螺合締結すると共に、
【００１８】
上記ニードルの円錐面と飲料水包装袋の口金との嵌合面を密封し得るシール膜を、その円錐面の首部に被着一体化させたことを特徴とする。
【００１９】
請求項３では穿孔アダプターのニードルに対するボトムキャップの螺合締結操作により下側パッキングをスペーサーへ、延いてはそのスペーサーにより上側パッキングをニードルにおける上側胴体と下側胴体との境界段差面へ、何れも下方から押し付けると共に、
【００２０】
上記ボトムキャップの締結力によって導水管の外周面に喰い付き圧着する下側パッキングの密封力を、強弱調整セットできるように定めたことを特徴とする。
【００２１】
請求項４では飲料水包装袋の口金をボビン形として、縦支点軸の廻りに開閉することによりその口金へ挟み付け得る別個な開閉トップフランジを、穿孔アダプターにおける昇降ガイドの上端部へ係脱自在な係止状態に組み立てると共に、
【００２２】
その昇降ガイドへ昇降自在に差し込み套嵌させた操作リングの押し上げ操作により、上記開閉トップフランジを飲料水包装袋の口金へ挟み付く閉合状態に施錠する一方、
【００２３】
同じく操作リングの引き下げ操作によって、上記開閉トップフランジを飲料水包装袋の口金から取りはずせる状態に開放するように関係設定したことを特徴とする。
【００２４】
請求項５では操作リングの引き下げ操作により開閉トップフランジを開放すると一挙同時に、昇降ガイドの内部に存在するニードルを引き下げて、飲料水包装袋の口金から抜き出せるように定めたことを特徴とする。
【００２５】
更に、請求項６では穿孔アダプターにおける昇降ガイドの上端部を径大な円錐受け皿形のトップフランジとして一体成形し、その中央部にニードル挿通口とそのニードル挿通口の開口周辺部から下向きに突出する複数のキー凸子とを設ける一方、
【００２６】
飲料水包装袋のボビン形口金に上記キー凸子と合致し得るキー溝を対応形成して、
【００２７】
上記トップフランジのキー凸子を口金のキー溝から抜き差し自在に差し込んで、一定角度だけ回動操作することにより、上記飲料水包装袋の口金へ係止させることができるように定めたことを特徴とする。
【発明の効果】
【００２８】
請求項１の上記構成によれば、飲料水包装袋の口金に取り付けた穿孔アダプターの昇降ガイドをサーバー本体側のカップ内へ、そのカップの案内によって正確な直進状態に差し込み下降させることができ、そのカップのボトムキャップ受け止め芯筒により一旦下方から受け止められる以前には勿論のこと、その一旦受け止められた以後の深い差し込み下降中にも、冒頭に述べた従来技術のコイルスプリングによる押し上げ付勢力を一切受けない構成であるため、そのコイルスプリングの設置に伴なう諸問題をすべて解消することができ、飲料水包装袋の安全性と作用安定性に優れた穿孔装置を得られる効果がある。
【００２９】
特に、請求項２の構成を採用するならば、穿孔アダプターのニードルからボトムキャップを取りはずすことにより、そのニードルの内部へ開閉弁と上側パッキング、スペーサー並びに下側パッキングを順次支障なく挿入セットすることができるほか、ニードルにおける円錐面の首部に被着一体化されたシール膜により、サーバー本体側のカップから引き抜き上昇させた飲料水包装袋の口金から、その包装袋に残溜の飲料水が漏出することを封止し得る効果もある。
【００３０】
その場合、請求項３の構成を採用するならば、穿孔アダプターのニードルに対するボトムキャップの螺合締結力により、導水管（ノンスピル）の外周面に喰い付き圧着する下側パッキングの密封力を、飲料水包装袋の口金とニードルの円錐面との嵌合面に介在する上記シール膜の密封力に比して、強く又は弱く調整セットすることができ、穿孔アダプターの昇降ガイド内から飲料水包装袋の口金に向かうニードルの出没作動を、意図的に安定良く制御又は管理し得る効果があり、利便性にも優れる。
【００３１】
又、請求項４の構成を採用するならば、穿孔アダプターにおける昇降ガイドの上端部に組み付けられた開閉トップフランジを、その昇降ガイドに差し込み套嵌された操作リングの押し上げ操作又は引き下げ操作により開閉させて、飲料水包装袋の口金に対する着脱操作を誰でも確実に便利良く行える効果がある。
【００３２】
その際、特に請求項５の構成を採用するならば、開閉トップフランジを飲料水包装袋の口金から取りはずすための開放と、その包装袋の口金から昇降ガイドの内部へニードルを没入させる引き下げとを、その操作リングのワンタッチ操作によって一挙同時に行え、利便性がますます向上する。
【００３３】
更に、請求項６の構成を採用するも、昇降ガイドのトップフランジに設置したキー凸子を、飲料水包装袋の口金に対応形成したキー溝と合致させて、そのキー溝へ抜き差し自在に差し込み後、時計方向又は反時計方向へ回動すれば、やはり飲料水包装袋の口金に対する着脱操作を容易に行うことができる。
【図面の簡単な説明】
【００３４】
【図１】本発明に係る第１実施形態の穿孔装置を装填したウォーターサーバーの正面図である。
【図２】図１の飲料水包装袋の穿孔装置を抽出して示す拡大断面図である。
【図３】カップを抽出して示す斜面図である。
【図４】図３の正面図である。
【図５】飲料水包装袋の口金部分を示す部分拡大斜面図である。
【図６】図５の正面図である。
【図７】図６の７−７線断面図である。
【図８】穿孔アダプターの昇降ガイドを抽出して示す正面図である。
【図９】図８の側面図である。
【図１０】図８の平面図である。
【図１１】図８の１１−１１線断面図である。
【図１２】図８の１２−１２線断面図である。
【図１３】図１０の１３−１３線断面図である。
【図１４】昇降ガイドの開閉トップフランジを抽出して示す平面図である。
【図１５】図１４の底面図である。
【図１６】開閉トップフランジの第１フランジセグメントに対して第２フランジセグメントを開放した状態の平面図である。
【図１７】図１４の１７−１７線断面図である。
【図１８】図１４の１８−１８線断面図である。
【図１９】図１４の１９−１９線拡大断面図である。
【図２０】開閉トップフランジの操作リングを抽出して示す正面図である。
【図２１】図２０の平面図である。
【図２２】図２１の２２−２２線断面図である。
【図２３】図２１の２３−２３線断面図である。
【図２４】穿孔アダプターのニードルを抽出して示す正面図である。
【図２５】図２４の側面図である。
【図２６】図２４の平面図である。
【図２７】図２４の２７−２７線断面図である。
【図２８】ニードルのボトムキャップを抽出して示す正面図である。
【図２９】図２８の平面図である。
【図３０】図２８の３０−３０線断面図である。
【図３１】開閉弁の半欠截断面図である。
【図３２】スペーサーを抽出して示す正面図である。
【図３３】図３２の側面図である。
【図３４】飲料水包装袋の口金へ穿孔アダプターを取り付けた準備状態の断面図である。
【図３５】図３４の穿孔アダプターをサーバー本体側のカップへ差し込み下降させ始めた状態の断面図である。
【図３６】図３５の状態から続く穿孔アダプターの差し込み下降過程を示す断面図である。
【図３７】図３６の状態から続いて穿孔アダプターのニードルがカップの芯筒に一旦受け止められた状態を示す断面図である。
【図３８】図３７の状態から続く穿孔アダプターの更に深い差し込み下降過程を示す断面図である。
【図３９】図３８の状態から穿孔アダプターを最低位置まで差し込み下降させた穿孔状態の断面図である。
【図４０】飲料水が無くなった飲料水包装袋の穿孔アダプターを、サーバー本体側のカップから引き抜き上昇させた状態の断面図である。
【図４１】図４０の状態から穿孔アダプターの操作リングを引き下げて、昇降ガイドの開閉トップフランジを開放操作することにより、飲料水包装袋の口金から取りはずした状態の断面図である。
【図４２】本発明の第２実施形態に係る穿孔アダプターの昇降ガイドを抽出して示す斜面図である。
【図４３】図４２の底面図である。
【図４４】図４３の４４−４４線断面図である。
【図４５】図４３の４５−４５線断面図である。
【図４６】本発明に係る第２実施形態の口金部分を示す図５に対応する斜面図である。
【図４７】図４６の正面図である。
【図４８】図４７の４８−４８線断面図である。
【図４９】第２実施形態の穿孔アダプターをサーバー本体側のカップへ差し込み下降させ始めた状態の図３５に対応する断面図である。
【図５０】図４９の状態から続いて穿孔アダプターのニードルがカップの芯筒に一旦受け止められた状態を示す図３７に対応する断面図である。
【図５１】図５０の状態から穿孔アダプターを最低位置まで差し込み下降させた穿孔状態の図３９に対応する断面図である。
【発明を実施するための形態】
【００３５】
以下、図面に基いて本発明の好適な第１実施形態を詳述すると、そのウォーターサーバーを示した図１、２において、（１０）はサーバー本体であり、その頂面が上向き拡開する盃状のトップカバー（１１）として、その一定深さのカップ受け入れ凹溝（１２）内へ、後述のカップ（Ｃ）を受け入れる。（１３）はそのカップ受け入れ凹溝（１２）の段付き状態に陥没した溝底面である。
【００３６】
（１４）は上記トップカバー（１１）におけるカップ受け入れ凹溝（１２）の垂直中心線上に立設された導水管（ノンスピル）であって、ＡＢＳ樹脂やその他の硬質な熱可塑性樹脂から成り、その下端部付近から連続一体に張り出す径大な固定フランジ（１５）が、上記カップ受け入れ凹溝（１２）の溝底面（１３）に嵌め込み一体化されており、振れ動くおそれはない。
【００３７】
上記導水管（１４）の内部は垂直なセンター仕切り壁（１６）を介して、第１通路（Ｐ１）と第２通路（Ｐ２）に二等分されており、その導水管（１４）の下端部がサーバー本体（１０）内の飲料水貯溜タンク（１７）と連通状態にある。しかも、第１通路（Ｐ１）の下端部は第２通路（Ｐ２）のそれよりも一定深さ（ｄ１）だけ浅く切り欠かれている。（１８）は上記トップカバー（１１）のカップ受け入れ凹溝（１２）に対する導水管（１４）の締結固定ナット、（１９）はその防水パッキングである。
【００３８】
（２０Ｌ）（２０Ｒ）は上記第１、２通路（Ｐ１）（Ｐ２）と各々連通する第１、２通孔であり、互いに同じ大きさ・形状として、上記導水管（１４）の上端部付近へ横向きに切り欠き開口されている。（２１Ｌ）（２１Ｒ）は上記サーバー本体（１０）の飲料水貯溜タンク（１７）と接続配管された左右一対の給水栓であり、これらをサーバー本体（１０）の外部から操作すれば、後述する飲料水包装袋（２２）の飲料水（Ｗ）を冷水や温水として取り出すことができるようになっている。
【００３９】
但し、その給水栓は１個として、冷水と温水とを切り替え得る構成が採用されることもある。又、図例のウォーターサーバーは床置き型であるが、卓上型のそれもあり得る。
【００４０】
先に一言したカップ（Ｃ）はＡＢＳ樹脂やその他の硬質な熱可塑性樹脂から図３、４のように、一定深さの基本的な断面Ｕ字形に一体成形されており、その円筒状の胴体（２３）が上記サーバー本体（１０）におけるトップカバー（１１）のカップ受け入れ凹溝（１２）内へ、上方からの差し込み嵌合状態に固定セットされている。但し、そのカップ（Ｃ）をサーバー本体（１０）から抜き出して、これに溜まった水を除去することは可能である。
【００４１】
（２４）は上記カップ（Ｃ）の胴体（２３）から上向きに拡開する径大な円錐形のトップフランジ受け皿面、（２５）は同じくカップ（Ｃ）の底面中央部から一定高さ（ｈ）だけ、言わば曲げ起された垂立状態のボトムキャップ受け止め芯筒であって、上記導水管（１４）の中途高さ位置に套嵌されており、その底面からの垂立高さ（ｈ）が後述するニードル（Ｎ）の昇降ストロークとなる。
【００４２】
そして、飲料水包装袋（２２）に予じめ付属一体化された後述の穿孔アダプター（Ａ）が、このようなカップ（Ｃ）の内部へ上方から抜き差し自在に差し込み使用されることとなる。（Ｈ）はその飲料水包装袋（２２）の変形を防ぐ袋受け止めホルダーであって、底面中央部に円形のカップ逃し入れ口が開口する一定深さの断面ほぼＵ字形をなし、使用の準備段階において上記サーバー本体（１０）のトップカバー（１１）へ、振れ動かぬ差し込み状態に固定維持されることとなる。その袋受け止めホルダー（Ｈ）の上面開閉蓋は図示省略してある。
【００４３】
飲料水包装袋（２２）は塩化ビニル樹脂やその他の透明又は半透明な軟質の熱可塑性樹脂から、折りたたみ扁平化できる状態に一体成形されており、その内部に一定量の飲料水（Ｗ）を封入したものであるが、その倒立姿勢での底面となる中央部には図５〜７のようなポリエチレン（ＰＥ）樹脂などの硬質合成樹脂から成るボビン形（断面ほぼ倒立エ字形）の口金（２６）が、接着や溶着などによって固着一体化されている。
【００４４】
その口金（２６）の凹周面（２７）へ後述する昇降ガイド（Ｇ）の開閉トップフランジ（Ｆ）を閉合状態に挟み付け使用し、その閉合使用状態を操作リング（Ｒ）により施錠して、上記昇降ガイド（Ｇ）の開閉トップフランジ（Ｆ）が飲料水包装袋（２２）の口金（２６）から離脱しないようになっている。
【００４５】
上記飲料水包装袋（２２）の穿孔アダプター（Ａ）は昇降ガイド（Ｇ）と、その昇降ガイド（Ｇ）の開口頂面を施蓋する開閉トップフランジ（Ｆ）と、そのトップフランジ（Ｆ）を開閉するため、上記昇降ガイド（Ｇ）の外部へ昇降自在に套嵌された操作リング（Ｒ）と、同じく昇降ガイド（Ｇ）の内部へ昇降自在に挿入されたニードル（Ｎ）と、そのニードル（Ｎ）に各々内蔵された開閉弁（Ｖ）と上下一対のパッキング（２８）（２９）並びにその両パッキング（２８）（２９）の上下相互間に介在するスペーサー（Ｓ）と、同じくニードル（Ｎ）の開口底面を施蓋するボトムキャップ（Ｂ）とから組立ユニット化されたものであり、そのニードル（Ｎ）の鋭利な頂点が上記口金（２６）を通じて、飲料水包装袋（２２）を穿孔し得るようになっている。
【００４６】
即ち、その穿孔アダプター（Ａ）を構成する部材のうち、先ず昇降ガイド（Ｇ）について言えば、これはポリカーボート（ＰＣ）樹脂やその他の透明又は半透明な硬質の熱可塑性樹脂から図８〜１３のように、基本的な断面Ｕ字形に一体成形されており、その底面中央部には上記カップ（Ｃ）のボトムキャップ受け止め芯筒（２５）を逃し入れる芯筒挿通口（３０）が、円形に開口している。
【００４７】
上記昇降ガイド（Ｇ）の胴体（３１）は若干下細りの円筒状をなしており、その胴体（３１）の上端部には開閉トップフランジ（Ｆ）の後述する対応的な下段の外向き係止爪を受け入れる複数（図例では合計４個）の爪受け入れ孔（３２）が、全体的な放射対称分布型に切り欠き開口されている。
【００４８】
又、同じく胴体（３１）の約上半部には向かい合う一対の操作リング用昇降ガイド溝レール（３３）が、上記爪受け入れ孔（３２）と干渉しない位置関係に切り欠き列設されており、しかもその両昇降ガイド溝レール（３３）の下端部（溝底部）には操作リング（Ｒ）の下限ストッパーとなる外向き係止爪（３４）が、昇降ガイド溝レール（３３）と連通する割り溝（３５）の切り込みによって、弾力性を発揮し得るように区成されている。この下段の外向き係止爪（３４）は操作リング（Ｒ）の後述する対応的な下段の爪受け入れ孔へ、係脱自在に係止することとなる。
【００４９】
（３６）は上記昇降ガイド溝レール（３３）の開口縁部に沿って外向きに突設された補強リブであり、昇降ガイド（Ｇ）の胴体（３１）へ差し込み套嵌された操作リング（Ｒ）を、その昇降ガイド（Ｇ）の胴体（３１）と密着しない状態に保つことによって、その操作リング（Ｒ）の昇降操作を容易・円滑に行えるようになっている。
【００５０】
他方、上記昇降ガイド（Ｇ）における胴体（３１）の約下半部からは、全体的な放射対称型に分布する複数（図例では合計８個）の補強フィン（３７）が、外向きの突出状態に列設されており、その下細りテーパー面（３８）によって上記カップ（Ｃ）の内部へ容易・円滑に差し込めるようになっている。
【００５１】
更に、同じく胴体（３１）の下端部にはニードル（Ｎ）のボトムキャップ（Ｂ）を受け止める複数（図例では合計４個）の内向き係止爪（３９）が、全体的な放射対称分布型として且つ何れも割り溝（４０）の切り込みにより、弾力性を発揮し得るように区成されている。
【００５２】
次に、上記昇降ガイド（Ｇ）の開閉トップフランジ（Ｆ）はその昇降ガイド（Ｇ）と同じポリカーボネート（ＰＣ）樹脂やその他の透明又は半透明な硬質の熱可塑性樹脂から成形されたものであって、基本的に上記カップ（Ｃ）のトップフランジ受け止めフランジ（２４）とほぼ対応する径大な円錐受け皿形をなしているが、これは図１４〜１９のような第１、２フランジセグメント（Ｆ１）（Ｆ２）から成るものとして一旦平面視の半円形に２分割された上、その径大な円形外周縁部の付近に位置する１本の縦支点軸（４１）を介して、開閉できる枢結状態に組み立てられている。
【００５３】
そして、その開閉トップフランジ（Ｆ）の第１、２フランジセグメント（Ｆ１）（Ｆ２）が閉合することにより、上記飲料水包装袋（２２）の口金（２６）へ挟み付けられるようになっているほか、両フランジセグメント（Ｆ１）（Ｆ２）の何れか一方である第１フランジセグメント（Ｆ１）の中央部が、上記昇降ガイド（Ｇ）の開口頂面を施蓋する径小な円形の取付ベース盤（４２）として、その昇降ガイド（Ｇ）の開口上縁部へ差し込み嵌合されるようになっている。
【００５４】
即ち、上記第１、２フランジセグメント（Ｆ１）（Ｆ２）は閉合することにより、初めて全体的な円錐受け皿形となる半円形の袋受け座面（４３）を有し、その袋受け座面（４３）の中央部からはやはり閉合することによって、全体的な円形に連続することとなる半円弧形のボス（４４）が、下向き一体に突設されている。（４５）は上記袋受け座面（４３）の外周縁部から下向き一体に突出する縁取りスカートであり、上記カップ（Ｃ）のトップフランジ受け皿面（２４）によって下方から受け止められる。
【００５５】
又、上記縦支点軸（４１）はその先端部に割り溝（４６）を有する楔状のダボとして、第１、２フランジセグメント（Ｆ１）（Ｆ２）の何れか一方から下向き一体に突設されており、残る他方に対応形成された軸受け筒（４７）へ、相対的な回動自在に差し込み貫通されている。そのため、抜け出すおそれはない。（４８）は第１、２フランジセグメント（Ｆ１）（Ｆ２）の開度（θ）を一定（図例では約９０度）に規制する切欠であり、両フランジセグメント（Ｆ１）（Ｆ２）の外周縁部に平面視のほぼく字形として付与されている。
【００５６】
上記第１、２フランジセグメント（Ｆ１）（Ｆ２）におけるボス（４４）の円弧内周面（腹面）は、その閉合時に向かい合う挟み付け片（４９）として、上記飲料水包装袋（２２）における口金（２６）の凹周面（２７）へ挟み付けられるようになっている。（５０）は同じく第１、２フランジセグメント（Ｆ１）（Ｆ２）におけるボス（４４）の円弧外周面（背中面）へ、その閉合時に向かい合う位置関係として点在分布された上段の外向き係止爪であり、その円弧外周面（背中面）の下方から切り込まれた割り溝（５１）によって、弾力性を発揮し得るように区成されている。
【００５７】
このような向かい合う一対として開閉トップフランジ（Ｆ）に点在分布する上段の外向き係止爪（５０）は、操作リング（Ｒ）における後述する胴体の上段爪受け入れ孔と係脱自在に係止されることにより、その開閉トップフランジ（Ｆ）の閉合状態を施錠することとなる。その結果、上記飲料水包装袋（２２）の口金（２６）から昇降ガイド（Ｇ）の開閉トップフランジ（Ｆ）が離脱するおそれはない。
【００５８】
上記昇降ガイド（Ｇ）の開口頂面を施蓋する第１フランジセグメント（Ｆ１）の取付ベース盤（４２）は、その第１フランジセグメント（Ｆ１）におけるボス（４４）の円弧外周面（背中面）と同じ外径を備えた円形として、そのボス（４４）の下端部から連続して第２フランジセグメント（Ｆ２）におけるボス（４４）の真下方向へ張り出す関係状態にある。
【００５９】
但し、上記第１、２フランジセグメント（Ｆ１）（Ｆ２）の挟み付け片（４９）はその取付ベース盤（４２）のフラットな上面から若干浮上した高さにあり、その上下相互間隙（ｘ）へ上記ボビン形口金（２６）の径小な下フランジ（図示符号省略）が受け入れられることになる。
【００６０】
そして、上記取付ベース盤（４２）の中心部に開口する円形のニードル挿通口（５２）が、第１、２フランジセグメント（Ｆ１）（Ｆ２）の挟み付け片（４９）により挟み付けられた上記飲料水包装袋（２２）の口金（２６）と合致連通して、後述のニードル（Ｎ）を受け入れる。（５３）は第２フランジセグメント（Ｆ２）におけるボス（４４）のフラットな底面から下向き一体に突設された平行な一対の浮かしリブ（橇）であり、第１、２フランジセグメント（Ｆ１）（Ｆ２）の閉合時、その第１フランジセグメント（Ｆ１）における上記取付ベース盤（４２）の上面に安定良く乗り上げる。
【００６１】
その場合、上記第１フランジセグメント（Ｆ１）の円形な取付ベース盤（４２）は図１５や図１７、１８のような内側包囲壁（５４）と、上記ボス（４４）の円弧外周面（背中面）と同じ外径を有する連続的な外側包囲壁（５５）によって、二重の縁取り補強状態にあり、その両包囲壁（５４）（５５）の内外相互間が下向きに開口する断面倒立Ｕ字形の凹周溝（５６）として、上記昇降ガイド（Ｇ）の開口上端部へ上方から差し込み嵌合されるようになっている。
【００６２】
しかも、その円形の取付ベース盤（４２）を縁取る内側包囲壁（５４）には複数（図例では合計４個）の下段外向き係止爪（５７）が、全体的な放射対称分布型として且つ下端部から切り込まれた割り溝（５８）により、弾力性を発揮し得るように区成されている。
【００６３】
そして、このような第１フランジセグメント（Ｆ１）の取付ベース盤（４２）に点在分布する複数の下段外向き係止爪（５７）が、上記昇降ガイド（Ｇ）における胴体（３１）の上端部に対応形成されている爪受け入れ孔（３２）へ、その内側から係脱自在に係止されることにより、その昇降ガイド（Ｇ）と開閉トップフランジ（Ｆ）とが組み立て一体化されているのである。
【００６４】
その組立状態では図１０と図１４との対応位置関係から明白なように、上記昇降ガイド（Ｇ）における胴体（３１）の約上半部に欠き列設されている向かい合う一対の操作リング用昇降ガイド溝レール（３３）と、その開閉トップフランジ（Ｆ）を形作る第１、２フランジセグメント（Ｆ１）（Ｆ２）のボス（４４）に区成された向かい合う一対の上段外向き係止爪（５０）とが、平面視での直交する関係状態に位相変化している。
【００６５】
尚、第１、２フランジセグメント（Ｆ１）（Ｆ２）における袋受け座面（４３）の中央部からボス（４４）が下向きに突出しており、その第１フランジセグメント（Ｆ１）のボス（４４）からだけ取付ベース盤（４２）が、更に下向き連続一体に突出しているため、そのボス（４４）に区成された一対の外向き係止爪（５０）が上段に位置することとなり、取付ベース盤（４２）に区成された複数の外向き係止爪（５７）が下段に位置することになることは、言うまでもない。
【００６６】
又、先に一言した操作リング（Ｒ）はポリアセタール樹脂（商品名：ジュラコン）やポリプロピレン（ＰＰ）樹脂などの硬質な熱可塑性樹脂から、図２０〜２３のような上記昇降ガイド（Ｇ）とその開閉トップフランジ（Ｆ）のボス（４４）並びに取付ベース盤（４２）を包囲できる大きさの円形リング状に一体成形されており、これには清潔感に富む乳白色やその他の適当な着色カラーを与えることが望ましい。
【００６７】
（５９）は操作リング（Ｒ）における胴体（６０）内の中途高さ位置を横断する水平な仕切り板であって、上記昇降ガイド（Ｇ）内のニードル（Ｎ）を引き下げるが、その中心部にはニードル（Ｎ）の後述する上側胴体を逃し入れる円形なニードル挿通口（６１）が、同じく仕切り板（５９）の周縁部は向かい合う一対の支持ステー（６２）だけを残して、上記昇降ガイド（Ｇ）の胴体（３１）を逃し入れる円弧溝（６３）の一対が、各々切り欠き開口されており、その操作リング（Ｒ）の両円弧溝（６３）を上記昇降ガイド（Ｇ）の胴体（３１）へ、同じく両支持ステー（６２）をその胴体（３１）の操作リング用昇降ガイド溝レール（３３）へ、何れも上方から抜き差し自在に差し込み套嵌することができるようになっている。
【００６８】
（６４）は上記操作リング（Ｒ）の胴体（６０）に対する両支持ステー（６２）の付け根部に切り欠かれた割り溝であり、上記昇降ガイド（Ｇ）の胴体（３１）から昇降ガイド溝レール（３３）に沿って突出する補強リブ（３６）を受け入れる。（６５）は同じく操作リング（Ｒ）における胴体（６０）の下端部付近に開口分布する向かい合う一対の下段爪受け入れ孔であり、その操作リング（Ｒ）が引き下げられた時、上記昇降ガイド（Ｇ）の胴体（３１）から対応的に突出する下段外向き係止爪（３４）と係止し得るようになっている。尚、操作リング（Ｒ）の開口下縁部は図２０、２３のような引き下げ操作手を当てがいやすい下フランジ（６６）として、張り出し形成することが好ましい。
【００６９】
他方、上記操作リング（Ｒ）における胴体（６０）の上端部付近にも向かい合う一対の上段爪受け入れ孔（６７）が切り欠かれているが、これは上記下段爪受け入れ孔（６５）と図２１のような平面視での直交する関係状態に位相変化しており、上記昇降ガイド（Ｇ）の開閉トップフランジ（Ｆ）におけるボス（４４）から対応的に突出する上段外向き係止爪（５０）と係脱自在に係止し得るようになっている。
【００７０】
つまり、操作リング（Ｒ）を押し上げて、その上段の爪受け入れ孔（６７）を上記開閉トップフランジ（Ｆ）側の上段外向き係止爪（５０）と係止させることにより、その開閉トップフランジ（Ｆ）を閉合状態に施蓋し、飲料水包装袋（２２）の口金（２６）へ挟み付けられた使用状態に保つことができるのである。尚、操作リング（Ｒ）の開口上縁部も図２０、２２のような押し上げ操作手の当てがいやすい上フランジ（６８）として、やはり張り出し形成することが望ましい。
【００７１】
次に、ニードル（Ｎ）はＡＳ樹脂（スチレンとアクリロニトリルとの共重合体）やその他の透明又は半透明な硬質の熱可塑性樹脂から、図２４〜２７のような下向き全開する基本的な二段ロケット型に一体成形されており、その上端部の鋭利な円錐面（６９）とこれよりも下方へ行く程太くなる段付き円筒状の胴体（７０）（７１）を備えた中空品である。
【００７２】
（７２）は上記円錐面（６９）の約下半部（首部）に被着一体化されたシール膜であって、熱可塑性樹脂エラストマーやシリコーンゴムなどの弾性材からほぼ円筒状に形成されており、上記飲料水包装袋（２２）における口金（２６）との嵌合面を密封し、その包装袋（２２）から飲料水（Ｗ）が漏出することを防止する。
【００７３】
（７３）は同じく円錐面（６９）と径小な上側胴体（７０）との境界肩面、（７４）はその径小な上側胴体（７０）と径大な下側胴体（７１）との境界段差面、（７５）はその下側胴体（７１）の下端部に刻成された雄ネジであり、ここにニードル（Ｎ）のボトムキャップ（Ｂ）が着脱自在に螺合締結されることとなる。（７６）は上側胴体（７０）と下側胴体（７１）から外向き連続的に張り出す複数（図例では合計６枚）のスライドフィンであって、全体的な放射対称分布型に列設されており、上記昇降ガイド（Ｇ）の胴体（３１）内を安定良くスライド（昇降）し、振れ動くおそれはない。
【００７４】
又、（７７）は上記鋭利な円錐面（６９）の中空内部を第１上細り通路（Ｏ１）と第２上細り通路（Ｏ２）に二等分するセンター仕切り板であって、その円錐面（６９）の頂点（錐先部）から上側胴体（７０）との上記境界肩面（７３）よりも下方までの一定深さ（ｄ２）だけ連続的に垂下されている。（７８）はその境界肩面（７３）から上記センター仕切り板（７７）と同じ一定深さ（ｄ２）だけ平行に垂下された規制板片であり、第１、２上細り通路（Ｏ１）（Ｏ２）の何れか一方（図例では第２上細り通路）を他方よりも深い通路として区成している。
【００７５】
しかも、上記した垂直のセンター仕切り板（７７）によって二等分された円錐面（６９）の約上半部には、その第１、２上細り通路（Ｏ１）（Ｏ２）と各々連通する横向きの第１、２通孔（７９Ｌ）（７９Ｒ）が、好ましくは高低差のある位置又は大小差のある口径として開口分布されており、要するに中空のニードル（Ｎ）は上記飲料水包装袋（２２）とサーバー本体（１０）側の導水管（ノンスピル）（１４）とを連通し、その内部が飲料水（Ｗ）の流通路になる。
【００７６】
更に、上記ニードル（Ｎ）のボトムキャップ（Ｂ）はそのニードル（Ｎ）と同じＡＳ樹脂やその他の透明又は半透明な硬質の熱可塑性樹脂から、図２８〜３０のような比較的浅い断面ほぼＵ字形に一体成形されているが、その底面の中央部には上記カップ（Ｃ）のボトムキャップ受け止め芯筒（２５）と合致連通する円形の導水管（ノンスピル）挿通口（８０）が開口しており、同じく底面の周辺部からは下側パッキング（２９）を受け止め支持するリング状の凸条（８１）が内向き一体に起立している。
【００７７】
（８２）はボトムキャップ（Ｂ）の胴体（８３）に刻成された雌ネジであり、上記ニードル（Ｎ）の雄ネジ（７５）へ下方から着脱自在に螺合締結されることとなる。（８４）は同じく胴体（８３）の下端部から連続一体に張り出す径大な円形の外向き係止フランジであって、上記昇降ガイド（Ｇ）における胴体（３１）の下端部に対応形成されている内向き係止爪（３９）と係脱自在に係止する。
【００７８】
先に一言した開閉弁（Ｖ）はＡＳ樹脂やその他の硬質な熱可塑性樹脂から一体成形されており、図３１のようなほぼ円錐受け皿形の弁体（８５）と、その中心部から垂下する脚柱（８６）と、同じく弁体（８５）の周縁部から放射対称分布型に起立する複数（図例では合計８本）のスライドフィン（８７）とを備えている。
【００７９】
そして、このような開閉弁（Ｖ）は上記ニードル（Ｎ）の就中径小な上側胴体（７０）に内蔵されており、そのスライドフィン（８７）が上側胴体（７０）の内部を振れ動くことなく直進的にスライド（昇降）して、上側パッキング（２８）の円錐弁座（８８）を開閉することになる。
【００８０】
上下一対の上記パッキング（２８）（２９）は何れもシリコーンゴムやその他の弾性材から円形リング状に成形されており、その上側パッキング（２８）が上記開閉弁（Ｖ）の弁体（８５）と密着し得る円錐弁座（８８）を有し、上記ニードル（Ｎ）における上側胴体（７０）と下側胴体（７１）との境界段差面（７４）へ、下方からスペーサー（Ｓ）により押し付け密着された位置決め状態にある。
【００８１】
これに比し、下側パッキング（２９）は上記導水管（ノンスピル）（１４）へ言わば首締め状態に喰い付くシール膜として、上側パッキング（２８）の厚み（例えば約１．５mm）よりも厚く（例えば約３mm）、しかもその円形開口縁部の尖鋭な断面楔形に造形されており、上記ボトムキャップ（Ｂ）における底面の凸条（８１）によって下方から受け止められた状態にある。
【００８２】
そして、その両パッキング（２８）（２９）の上下相互間に介在する上記スペーサー（Ｓ）は、やはりＡＳ樹脂やその他の透明又は半透明な硬質の熱可塑性樹脂から、図３２、３３のような断面ほぼ倒立Ｕ字形に一体成形されているが、その上側パッキング（２８）を下方から支持するフラットな頂面の中央部には、上側パッキング（２８）の円錐弁座（８８）と合致連通する円錐弁座（８９）が開口している。上記開閉弁（Ｖ）の弁体（８５）はその円錐弁座（８９）を開閉するが、その弁体（８５）から円錐弁座（８９）を経て垂下する上記開閉弁（Ｖ）の脚柱（８６）は、導水管（ノンスピル）（１４）における頂面の中心部へ当接することになる。
【００８３】
他方、上記スペーサー（Ｓ）における胴体（９０）の下端部からは径大な円形の押えフランジ（９１）が外向き連続的に張り出されており、上記ニードル（Ｎ）に螺合締結されたボトムキャップ（Ｂ）の凸条（８１）と、そのスペーサー（Ｓ）の押えフランジ（９１）によって、下側パッキング（２９）を上下方向から挟み付けるようになっている。（９２）は同じくスペーサー（Ｓ）の胴体（９０）から外向き連続的に張り出す複数（図例では合計６本）の補強リブであり、全体的な放射対称分布型に列設されている。
【００８４】
上記ニードル（Ｎ）の段付き円筒状をなす上側胴体（７０）と下側胴体（７１）の内部に対しては、その下方から順次開閉弁（Ｖ）と上側パッキング（２８）、スペーサー（Ｓ）並びに下側パッキング（２９）を差し込みセットして、ボトムキャップ（Ｂ）の螺合締結により組み立てることができ、そのニードル（Ｎ）に対するボトムキャップ（Ｂ）の螺合締結力により、下方から下側パッキング（２９）をスペーサー（Ｓ）の押えフランジ（９１）へ適度な強さに押し付け、更に延いてはそのスペーサー（Ｓ）のフラットな頂面を介して、上側パッキング（２８）をニードル（Ｎ）における上側胴体（７０）と下側胴体（７１）との境界段差面（７４）へ適度な強さに押し付ける調整も可能である。
【００８５】
その場合、下側パッキング（２９）が導水管（ノンスピル）（１４）に喰い付き圧着する密封力を、上記飲料水包装袋（２２）の口金（２６）とニードル（Ｎ）の円錐面（６９）との嵌合面に介在するシール膜（７２）の密封力よりも、比較的（相対的）に弱く調整セットしておくことが好ましい。そうすれば、図４０のような後述するサーバー本体（１０）側からの確実・安定な引き抜き状態を得られることになる。
【００８６】
尚、上記ボトムキャップ（Ｂ）の取りはずし後、ニードル（Ｎ）から逆に下方へ順次下側パッキング（２９）とスペーサー（Ｓ）、上側パッキング（２８）並びに開閉弁（Ｖ）を抜き出して、これらの分解掃除や新品との交換などを行えることは言うまでもない。
【００８７】
本発明のウォーターサーバーにおけるトップカバー（１１）側のカップ受け入れ凹溝（１２）内には、上向き拡開する円錐形のトップフランジ受け皿面（２４）と、ニードル（Ｎ）のボトムキャップ受け止め芯筒（２５）とを備えた基本的な断面Ｕ字形のカップ（Ｃ）が、上方から差し込み嵌合されており、その垂直中心線上に導水管（ノンスピル）（１４）が起立した組立状態にある。
【００８８】
他方、段付き円筒状をなす上側胴体（７０）と下側胴体（７１）の内部へ、その下方から順次開閉弁（Ｖ）と上側パッキング（２８）、スペーサー（Ｓ）並びに下側パッキング（２９）が差し込みセットされた後、その下側胴体（７１）に対するボトムキャップ（Ｂ）の螺合締結によって一旦組み立てられたニードル（Ｎ）を、更に昇降ガイド（Ｇ）の内部へ上方から差し込みセットする一方、その昇降ガイド（Ｇ）の外部へ操作リング（Ｒ）をやはり上方から差し込み套嵌させて、最後に上記昇降ガイド（Ｇ）の開口頂面へ開閉トップフランジ（Ｆ）を施蓋状態に取り付けることにより、その昇降ガイド（Ｇ）からニードル（Ｎ）や開閉トップフランジ（Ｆ）が不慮に離脱しない穿孔アダプター（Ａ）として組立ユニット化しておく。
【００８９】
そして、本発明を使用する際には、飲料水包装袋（２２）をその袋受け止めホルダー（Ｈ）の内部へ挿入セットすると共に、上記穿孔アダプター（Ａ）における開閉トップフランジ（Ｆ）の第１、２フランジセグメント（Ｆ１）（Ｆ２）を閉合させて、その飲料水包装袋（２２）の底面に予じめ付属している口金（２６）の凹周面（２７）へ挟み付け、その状態を上記昇降ガイド（Ｇ）に沿って押し上げた操作リング（Ｒ）により、上記穿孔アダプター（Ａ）が離脱しないように施錠する。
【００９０】
このような準備状態では図３４に示す如く、押し上げられた操作リング（Ｒ）の上段爪受け入れ孔（６７）が、上記第１、２フランジセグメント（Ｆ１）（Ｆ２）の上段外向き係止爪（５０）と係止して、その第１、２フランジセグメント（Ｆ１）（Ｆ２）を開放しないように施錠維持している。
【００９１】
又、ニードル（Ｎ）のボトムキャップ（Ｂ）は昇降ガイド（Ｇ）側の内向き係止爪（３９）により受け止められた係合状態として、そのニードル（Ｎ）の鋭利な円錐面（６９）が最低位置まで沈下している。しかも、上記ニードル（Ｎ）内にある開閉弁（Ｖ）は自重によって、上側パッキング（２８）の円錐弁座（８８）とスペーサー（Ｓ）の円錐弁座（８９）に密着した閉鎖（閉弁）状態にある。
【００９２】
そこで、上記袋受け止めホルダー（Ｈ）へ挿入セットされた準備状態にある飲料水包装袋（２２）の穿孔アダプター（Ａ）を、その袋受け止めホルダー（Ｈ）と一緒に下向きの垂直姿勢として、図３５から図３６を経て図３７のように、サーバー本体（１０）側のカップ（Ｃ）内へ差し込み下降させるのであり、そうすればニードル（Ｎ）におけるボトムキャップ（Ｂ）の底面が上記カップ（Ｃ）側のボトムキャップ受け止め芯筒（２５）に係止し、これによって一旦下方から受け止め支持された図３７の状態となる。
【００９３】
この一旦停止状態では、上記開閉弁（Ｖ）の脚柱（８６）が導水管（ノンスピル）（１４）における頂面の中心部へ当接することにより、その弁体（８５）が上側パッキング（２８）の円錐弁座（８８）並びにスペーサー（Ｓ）の円錐弁座（８９）から浮上し、これらの閉鎖状態を開放（開弁）することになる。
【００９４】
更に、このような穿孔アダプター（Ａ）の一旦停止状態においても、ニードル（Ｎ）のボトムキャップ（Ｂ）から張り出している径大な外向き係止フランジ（８４）は、昇降ガイド（Ｇ）の下端部に対応形成されている内向き係止爪（３９）と未だ係止した状態にある。
【００９５】
そこで、次に上記飲料水包装袋（２２）の袋受け止めホルダー（Ｈ）を把持したままで、その包装袋（２２）の穿孔アダプター（Ａ）を引き続き、図３７から図３８を経て図３９のように、その昇降ガイド（Ｇ）の底面がカップ（Ｃ）の底面に当接するまで深く差し込み下降させるのである。
【００９６】
そうすれば、ニードル（Ｎ）側のボトムキャップ（Ｂ）が上記カップ（Ｃ）側のボトムキャップ受け止め芯筒（２５）により受け止め支持された固定状態にあるに比して、飲料水包装袋（２２）の底面に付属している昇降ガイド（Ｇ）が、その内向き係止爪（３９）と上記ボトムキャップ（Ｂ）における外向き係止フランジ（８４）との係止解除により、引き続き下降するため、これとの相対的にニードル（Ｎ）は上昇することとなり、その鋭利な円錐面（６９）の頂点（錐先部）によって、上記開閉トップフランジ（Ｆ）の取付ベース盤（４２）に開口するニードル挿通口（５２）とボビン形の口金（２６）を通じ、飲料水包装袋（２２）の底面を自づと確実に穿孔することができる。その意味から上記ボトムキャップ受け止め芯筒（２５）の垂立高さ（ｈ）が、ニードル（Ｎ）の昇降ストロークを規定することになると言える。
【００９７】
上記飲料水包装袋（２２）が穿孔された図３９の使用中には、その包装袋（２２）内の飲料水（Ｗ）が同図の矢印で示す如く、上記ニードル（Ｎ）における円錐面（６９）の第１、２通孔（７９Ｌ）（７９Ｒ）と第１、２上細り通路（Ｏ１）（Ｏ２）から、上側胴体（７０）内にある上側パッキング（２８）の円錐弁座（８８）と下側胴体（７１）内にあるスペーサー（Ｓ）の円錐弁座（８９）や、導水管（ノンスピル）（１４）の第１、２通孔（２０Ｌ）（２０Ｒ）と第１、２通路（Ｏ１）（Ｏ２）を経て落下し、サーバー本体（１０）側の飲料水貯溜タンク（１７）内へ円滑に流入することとなる。
【００９８】
その場合、ニードル（Ｎ）における円錐面（６９）の約下半部（首部）に被着一体化されたシール膜（７２）が、その円錐面（６９）と上記口金（２６）との嵌合面を密封した状態にあるため、その嵌合面から飲料水包装袋（２２）内の飲料水（Ｗ）が下方へ漏出するおそれはない。又、導水管（ノンスピル）（１４）の外周面に下側パッキング（２９）が喰い付き密封しているため、スペーサー（Ｓ）の下端部から飲料水（Ｗ）が漏出するおそれもない。
【００９９】
飲料水（Ｗ）の使用が進み、サーバー本体（１０）における飲料水貯溜タンク（１７）内の貯水レベルが、図２の実線で示す位置まで低下して、上記の一定深さ（ｄ１）だけ浅く切り欠かれている第１通路（Ｐ１）の下端部が、先に水面上へ露出すると、その飲料水貯溜タンク（１７）内の空気が同図の矢印で示す如く、導水管（ノンスピル）（１４）の第１通路（Ｐ１）と第１通孔（２０Ｌ）や、ニードル（Ｎ）内のやはり一定深さ（ｄ２）だけ浅い通路である第１上細り通路（Ｏ１）と第１通孔（７９Ｌ）を通じて上昇し、飲料水包装袋（２２）の内部へ流入することとなり、更にはその包装袋（２２）内に少しでも飲料水（Ｗ）が残溜しているような場合、これを上記空気が押し下げて、飲料水貯溜タンク（１７）へ流出させるように働く。
【０１００】
何れにしても、上記飲料水包装袋（２２）内の飲料水（Ｗ）が無くなり、その包装袋（２２）を新品と交換して、サーバー本体（１０）側へ装填使用する場合には、図３９の状態から図４０に示す如く、飲料水包装袋（２２）の穿孔アダプター（Ａ）を上記サーバー本体（１０）側のカップ（Ｃ）から引き抜き上昇させる。
【０１０１】
そうすれば、ニードル（Ｎ）の内部に存在する開閉弁（Ｖ）の弁体（８５）が自重によって、図４０のように上側パッキング（２８）の円錐弁座（８８）とスペーサー（Ｓ）の円錐弁座（８９）を閉鎖（閉弁）することになるほか、そのニードル（Ｎ）の円錐面（６９）と上記飲料水包装袋（２２）の口金（２６）との嵌合面が、依然シール膜（７２）での密封状態にあるため、上記引き抜き状態にある飲料水包装袋（２２）からの漏水は皆無となり、周辺を汚損するおそれはない。
【０１０２】
そこで、上記カップ（Ｃ）からの引き抜き状態にある上記穿孔アダプター（Ａ）側の昇降ガイド（Ｇ）を片手（例えば左手）で把持し乍ら、残る片手（例えば右手）で開閉トップフランジ（Ｆ）の操作リング（Ｒ）を図４０の鎖線や図４１の実線に示す如く引き下げる。
【０１０３】
そうすれば、上記昇降ガイド（Ｇ）の操作リング用昇降ガイド溝レール（３３）に沿って下降する操作リング（Ｒ）の水平な仕切り板（５９）が、その昇降ガイド（Ｇ）の内部においてニードル（Ｎ）のスライドフィン（８７）と当接しつつ、そのニードル（Ｎ）を図４０から図４１のように、当初の最低位置（図３４参照）まで下降させることとなり、上記ニードル（Ｎ）の鋭利な円錐面（６９）は飲料水包装袋（２２）の口金（２６）と、開閉トップフランジ（Ｆ）の取付ベース盤（４２）に開口するニードル挿通口（５２）から下方へ抜け出して、昇降ガイド（Ｇ）の内部に沈没する。
【０１０４】
他方、昇降ガイド（Ｇ）の外部ではその開閉トップフランジ（Ｆ）における上段の外向き係止爪（５０）と、上記操作リング（Ｒ）における上段爪受け入れ孔（６７）との係止状態が、その操作リング（Ｒ）の引き下げ操作によって解除されることとなり、その開閉トップフランジ（Ｆ）における昇降ガイド（Ｇ）の開口頂面を施蓋した取り付け状態にある第１フランジセグメント（Ｆ１）に対して、第２フランジセグメント（Ｆ２）を縦支点軸（４１）の廻りに開放させることができるため、その図４１のような開放操作を行って、上記穿孔アダプター（Ａ）を飲料水（Ｗ）が無くなった包装袋（２２）の口金（２６）から取りはずす。
【０１０５】
但し、上記導水管（ノンスピル）（１４）の外周面に喰い付き圧着する下側パッキング（２９）の密封力を、上記飲料水包装袋（２２）の口金（２６）とニードル（Ｎ）の円錐面（６９）との嵌合面に介在するシール膜（７２）の密封力よりも、比較的に強く調整セットしておくことにより、穿孔アダプター（Ａ）のニードル（Ｎ）がサーバー本体（１０）側の導水管（ノンスピル）（１４）から引き抜け上昇するよりも早く、そのニードル（Ｎ）の鋭利な円錐面（６９）が飲料水包装袋（２２）の口金（２６）から抜け落ちて、昇降ガイド（Ｇ）の内部へ自づと没入するように定めてもさしつかえない。この場合に限って、上記操作リング（Ｒ）の引き下げ操作は昇降ガイド（Ｇ）の開閉トップフランジ（Ｆ）を開閉させるためだけに行われる意味となる。
【０１０６】
何れにしても、空になった飲料水包装袋（２２）から取りはずした穿孔アダプター（Ａ）は、新らたな飲料水包装袋（２２）の口金（２６）へ図４１から図３４のように、上記開閉トップフ０ンジ（Ｆ）の閉合と操作リング（Ｒ）の押し上げによって、再度挟み付け使用することができ、その口金（２６）に対する穿孔アダプター（Ａ）の着脱操作を繰り返せば良い。
【０１０７】
次に、図４２〜５１は本発明の第２実施形態を示しており、これでは穿孔アダプター（Ａ）の昇降ガイド（Ｇ）が基本的な断面倒立Ｕ字形に造形されていて、その円筒状をなす胴体（３１）の内部へ、下方からニードル（Ｎ）を差し込みセットできるようになっている。
【０１０８】
又、その穿孔アダプター（Ａ）の昇降ガイド（Ｇ）を飲料水包装袋（２２）の口金（２６）に取り付け使用するためのトップフランジ（Ｆ）は、径大な円錐受け皿形をなすも、上記昇降ガイド（Ｇ）における胴体（３１）の上端部から外向き一体に張り出しており、上記第１実施形態の図１４〜１９に示した開閉トップフランジ（Ｆ）のような昇降ガイド（Ｇ）との別体品ではなく、ましてその第１、２フランジセグメント（Ｆ１）（Ｆ２）から縦支点軸（４１）を介して開閉自在に組み立てられた構成ではない。
【０１０９】
しかも、このような昇降ガイド（Ｇ）との連続一体品であるトップフランジ（Ｆ）における円形な袋受け座面（４３）の中央部には、図４２〜４５のような円形のニードル挿通口（９３）が開口されており、その開口周辺部から下向き一体に突出する向かい合う一対のキー凸子（９４）を、図４６〜４８のような飲料水包装袋（２２）の口金（２６）に対応形成されたキー溝（９５）から差し込んだ後、時計方向又は反時計方向へ一定角度だけ回動操作することにより、その口金（２６）の凹周面（２７）へ上記昇降ガイド（Ｇ）を脱落不能に係止させることができるようになっている。
【０１１０】
但し、このような使用中の係止状態から昇降ガイド（Ｇ）を回動操作して、そのキー凸子（９４）を上記口金（２６）のキー溝（９５）と合致させれば、そのキー溝（９５）から昇降ガイド（Ｇ）のキー凸子（９４）を抜き出すことができ、延いては飲料水包装袋（２２）の口金（２６）から穿孔アダプター（Ａ）を取りはずせるのである。
【０１１１】
つまり、第２実施形態の構成では昇降ガイド（Ｇ）のトップフランジ（Ｆ）を開閉させて、飲料水包装袋（２２）の口金（２６）へ挟み付けるようになっていない結果、上記第１実施形態のようなトップフランジ（Ｆ）を開閉させるための操作リング（Ｒ）が不要として、その設置を省略されている。又、昇降ガイド（Ｇ）と別個な開閉トップフランジ（Ｆ）や操作リング（Ｒ）が無いため、上記昇降ガイド（Ｇ）の胴体（３１）に第１実施形態のような下段外向き係止爪（５７）の受け入れ孔（３２）や操作リング用昇降ガイド溝レール（３３）、外向き係止爪（３４）、割り溝（３５）、補強リブ（３６）なども設けられていない。
【０１１２】
更に、穿孔アダプター（Ａ）のニードル（Ｎ）に内蔵された第２実施形態の開閉弁（Ｖ）は、ガラス玉などから成るボール弁として具体化されており、これがその自重によって、図４９のように上側パッキング（２８）へ密着し、その円錐弁座（８８）とスペーサー（Ｓ）の円錐弁座（８９）を閉鎖（閉弁）する一方、そのボール弁が図５０、５１のように導水管（ノンスピル）（１４）の円錐頂面へ、点接触状態に当接して浮上することにより、同じく上側パッキング（２８）の円錐弁座（８８）とスペーサー（Ｓ）の円錐弁座（８９）を開放（開弁）するようになっている。
【０１１３】
そして、本発明の第２実施形態では図３５と対応する図４９から明白なように、穿孔アダプター（Ａ）における昇降ガイド（Ｇ）のキー凸子（９４）を、飲料水包装袋（２２）の底面に付属しているボビン形口金（２６）のキー溝（９５）から差し込んで、一定角度だけ回動させることにより、その穿孔アダプター（Ａ）を飲料水包装袋（２２）へ脱落しない係止状態に保つ。
【０１１４】
このような図４９の準備状態では上記第１実施形態の図３５と同じく、ニードル（Ｎ）のボトムキャップ（Ｂ）から張り出す外向き係止フランジ（８４）と、昇降ガイド（Ｇ）の下端部に対応位置する内向き係止爪（３９）とが係止した状態にあり、そのニードル（Ｎ）の鋭利な円錐面（６９）が昇降ガイド（Ｇ）内の最低位置まで沈下している。しかも、上記ニードル（Ｎ）内の開閉弁（Ｖ）はやはり自重によって、上側パッキング（２８）の円錐弁座（８８）とスペーサー（Ｓ）の円錐弁座（８９）を閉鎖（閉弁）した状態にある。
【０１１５】
上記準備状態から飲料水包装袋（２２）の袋受け止めホルダー（Ｈ）を把持しつつ、その包装袋（２２）の穿孔アダプター（Ａ）をサーバー本体（１０）側のカップ（Ｃ）内へ差し込み下降させることにより、上記ニードル（Ｎ）のボトムキャップ（Ｂ）がそのカップ（Ｃ）のボトムキャップ受け止め芯筒（２５）に一旦受け止められた状態は、図５０に示すとおりであって、上記第１実施形態の図３７と実質的に同じ状態となる。
【０１１６】
この一旦停止状態では、開閉弁（Ｖ）が導水管（ノンスピル）（１４）の円錐頂面へ点接触することによって、やはり上側パッキング（２８）の円錐弁座（８８）とスペーサー（Ｓ）の円錐弁座（８９）から浮上し、これらの閉鎖状態を開放（開弁）することになる。又、ニードル（Ｎ）のボトムキャップ（Ｂ）から張り出している外向き係止フランジ（８４）と、昇降ガイド（Ｇ）の下端部に対応位置する内向き係止爪（３９）とは、未だ係止した状態にある。
【０１１７】
更に、図５０の上記一旦停止状態から穿孔アダプター（Ａ）を、その昇降ガイド（Ｇ）の底面がサーバー本体（１０）におけるカップ（Ｃ）の底面に当接するまで、深く差し込み下降させた状態は、図５１に示すとおりであり、上記第１実施形態の図３９と実質的に同じ状態となる。
【０１１８】
この深く差し込み終了した状態では、ニードル（Ｎ）のボトムキャップ（Ｂ）が依然として下方から受け止め固定された状態にあるに比して、飲料水包装袋（２２）の底面に付属している昇降ガイド（Ｇ）が、引き続き下降する関係上、これとの相対的に上昇することとなるニードル（Ｎ）が、その鋭利な円錐面（６９）の頂点（錐先部）によって、上記昇降ガイド（Ｇ）のニードル挿通口（９３）とボビン形の口金（２６）を通じ、飲料水包装袋（２２）の底面を自づと穿孔する。
【０１１９】
その結果、図５１の矢印で示す如く、飲料水包装袋（２２）内の飲料水（Ｗ）はニードル（Ｎ）の円錐面（６９）に開口分布する第１、２通孔（７０Ｌ）（７９Ｒ）と第１、２上細り通路（Ｏ１）（Ｏ２）から、段付き胴体（７０）（７１）の内部にある上側パッキング（２８）の円錐弁座（８８）とスペーサー（Ｓ）の円錐弁座（８９）や、導水管（ノンスピル）（１４）の第１、２通孔（２０Ｌ）（２０Ｒ）と第１、２通路（Ｐ１）Ｐ２）を経て落下し、サーバー本体（１０）側の飲料水貯溜タンク（１７）内へ流入することになる
【０１２０】
その場合、ニードル（Ｎ）の円錐面（６９）に被着一体化されているシール膜（７２）が、その円錐面（６９）と上記口金（２６）との嵌合面を密封した状態にあるため、その嵌合面から飲料水（Ｗ）が下方へ漏出するおそれはなく、又下側パッキング（２９）が導水管（ノンスピル）（１４）の外周面に喰い付き密封した状態にあるため、スペーサー（Ｓ）の下端部から飲料水（Ｗ）が漏出するおそれもない。
【０１２１】
やがて飲料水包装袋（２２）内の飲料水（Ｗ）が無くなり、その包装袋（２２）を新品と交換する場合には、図５１の状態から飲料水包装袋（２２）の穿孔アダプター（Ａ）を引き抜き上昇させれば良い。そうすれば、その過程では図示省略してあるが、昇降ガイド（Ｇ）の下端部にある複数の内向き係止爪（３９）が、ニードル（Ｎ）におけるボトムキャップ（Ｂ）の外向き係止フランジ（８４）と係止するため、そのままで引き続き上昇させて行くことにより、上記穿孔アダプター（Ａ）をサーバー本体（１０）側のカップ（Ｃ）から図４９のように完全に抜き出すことができる。
【０１２２】
その場合、上記第１実施形態との言わば反対に、下側パッキング（２９）が導水管（ノンスピル）（１４）に喰い付き圧着する密封力を、飲料水包装袋（２２）の口金（２６）とニードル（Ｎ）の円錐面（６９）との嵌合面に介在するシール膜（７２）の密封力よりも、比較的（相対的）に強く調整セットしておくことが好ましい。
【０１２３】
そうすれば、穿孔アダプター（Ａ）のニードル（Ｎ）がサーバー本体（１０）側の導水管（ノンスピル）（１４）から引き抜け上昇するよりも早く、そのニードル（Ｎ）の鋭利な円錐面（６９）が飲料水包装袋（２２）の口金（２６）から抜け落ちて、昇降ガイド（Ｇ）の内部へ自づと没入することになり、上記第１実施形態の操作リング（Ｒ）によるニードル（Ｎ）の人為的な引き下げ操作を加える必要がない。
【０１２４】
図４２〜５１の第２実施形態におけるその他の構成と使用法は、図１〜４１の上記第１実施形態と実質的に同一であるため、その図４２〜５１に図１〜４１との対応符号を記入するにとどめて、その詳細な説明を省略する。
【０１２５】
尚、本発明の使用法を整然とわかりやすく説明するための便宜上、飲料水包装袋（２２）とその底面に付属する穿孔アダプター（Ａ）を、常に下向きの姿勢状態として図示すると共に説明したが、サーバー本体（１０）側のカップ（Ｃ）へ飲料水包装袋（２２）の穿孔アダプター（Ａ）を差し込み下降させるまでの準備段階や、飲料水（Ｗ）が無くなった包装袋（２２）の穿孔アダプター（Ａ）を、サーバー本体（１０）側のカップ（Ｃ）から引き抜き上昇させた後の取りはずし段階では、これらの上向き（倒立）姿勢状態として、必要な上記諸操作がテーブル上での安楽に行われることは言うまでもない。
【符号の説明】
【０１２６】
（１０）・サーバー本体
（１１）・トップカバー
（１２）・カップ受け入れ凹溝
（１３）・溝底面である。
（１４）・導水管（ノンスピル）
（１５）・固定フランジ
（１６）・センター仕切り壁
（１７）・飲料水貯溜タンク
（１８）・締結固定ナット
（１９）・防水パッキング
（２０Ｌ）（２０Ｒ）・第１、２通孔
（２１Ｌ）（２１Ｒ）・給水栓
（２２）・飲料水包装袋
（２３）・胴体
（２４）・トップフランジ受け皿面
（２５）・ボトムキャップ受け止め芯筒
（２６）・口金
（２７）・凹周面
（２８）（２９）・パッキング
（３０）・芯筒挿通口
（３１）・胴体
（３２）・爪受け入れ孔
（３３）・操作リング用昇降ガイド溝レール
（３４）・外向き係止爪
（３５）（４０）（４６）（５１）（５８）（６４）・割り溝
（３６）・補強リブ
（３７）・補強フィン
（３８）・下細りテーパー面
（３９）・内向き係止爪
（４１）・縦支点軸
（４２）・取付ベース盤
（４３）・袋受け座面
（４４）・ボス
（４５）・縁取りスカート
（４７）・軸受け筒
（４８）・切欠
（４９）・挟み付け片
（５０）・上段外向き係止爪
（５２）・ニードル挿通口
（５３）・浮かしリブ（橇）
（５４）・内側包囲壁
（５５）・外側包囲壁
（５６）・凹周溝
（５６）・下段外向き係止爪
（５９）・仕切り板
（６０）・胴体
（６１）・ニードル挿通口
（６２）・支持ステー
（６３）・円弧溝
（６５）・下段爪受け入れ孔
（６６）・下フランジ
（６７）・上段爪受け入れ孔
（６８）・上フランジ
（６９）・円錐面
（７０）（７１）・胴体
（７２）・シール膜
（７３）・境界肩面
（７４）・境界段差面
（７５）・雄ネジ
（７６）・スライドフィン
（７７）・センター仕切り板                                                      （７８）・規制板片
（７９Ｌ）（７９Ｒ）・第１、２通孔
（８０）・導水管（ノンスピル）挿通口
（８１）・凸条
（８２）・雌ネジ
（８３）・胴体
（８４）・外向き係止フランジ
（８５）・弁体
（８６）・脚柱
（８７）・スライドフィン
（８８）（８９）・円錐弁座
（９０）・胴体
（９１）・押えフランジ
（９２）・補強リブ
（９３）・ニードル挿通口
（９４）・キー凸子
（９５）・キー溝
（Ａ）・穿孔アダプター
（Ｂ）・ボトムキャップ
（Ｃ）・カップ
（Ｆ）・開閉トップフランジ
（Ｆ１）・第１フランジセグメント
（Ｆ２）・第２フランジセグメント
（Ｇ）・昇降ガイド
（Ｈ）・袋受け止めホルダー
（Ｎ）・ニードル
（Ｒ）・操作リング
（Ｓ）・スペーサー
（Ｖ）・開閉弁
（Ｗ）・飲料水
（Ｏ１）・第１上細り通路
（Ｏ２）・第２上細り通路
（Ｐ１）・第１通路
（Ｐ２）・第２通路
（ｄ１）（ｄ２）・一定深さ
（ｈ）・一定高さ
（ｘ）・上下相互間隙
（θ）・開度
【図１】
0005514777.tif 000002
【図２】
0005514777.tif 000003
【図３】
0005514777.tif 000004
【図４】
0005514777.tif 000005
【図５】
0005514777.tif 000006
【図６】
0005514777.tif 000007
【図７】
0005514777.tif 000008
【図８】
0005514777.tif 000009
【図９】
0005514777.tif 000010
【図１０】
0005514777.tif 000011
【図１１】
0005514777.tif 000012
【図１２】
0005514777.tif 000013
【図１３】
0005514777.tif 000014
【図１４】
0005514777.tif 000015
【図１５】
0005514777.tif 000016
【図１６】
0005514777.tif 000017
【図１７】
0005514777.tif 000018
【図１８】
0005514777.tif 000019
【図１９】
0005514777.tif 000020
【図２０】
0005514777.tif 000021
【図２１】
0005514777.tif 000022
【図２２】
0005514777.tif 000023
【図２３】
0005514777.tif 000024
【図２４】
0005514777.tif 000025
【図２５】
0005514777.tif 000026
【図２６】
0005514777.tif 000027
【図２７】
0005514777.tif 000028
【図２８】
0005514777.tif 000029
【図２９】
0005514777.tif 000030
【図３０】
0005514777.tif 000031
【図３１】
0005514777.tif 000032
【図３２】
0005514777.tif 000033
【図３３】
0005514777.tif 000034
【図３４】
0005514777.tif 000035
【図３５】
0005514777.tif 000036
【図３６】
0005514777.tif 000037
【図３７】
0005514777.tif 000038
【図３８】
0005514777.tif 000039
【図３９】
0005514777.tif 000040
【図４０】
0005514777.tif 000041
【図４１】
0005514777.tif 000042
【図４２】
0005514777.tif 000043
【図４３】
0005514777.tif 000044
【図４４】
0005514777.tif 000045
【図４５】
0005514777.tif 000046
【図４６】
0005514777.tif 000047
【図４７】
0005514777.tif 000048
【図４８】
0005514777.tif 000049
【図４９】
0005514777.tif 000050
【図５０】
0005514777.tif 000051
【図５１】
0005514777.tif 000052